(57)【要約】【課題】  本考案は、収納ラックの構造で、特に、組み立て及び分解を容易とし、又、横方向にも延長することを可能とすることを目的とする。【解決手段】  両サイドに設置される立架組(１０)は前後に二つの縦ロッド(１１)を有し、二つの上記縦ロッド(１１)の間に複数の横ロッド(１２)が固定設置されており、二つの上記縦ロッド(１１)の間に挟み口(１３)を有する。層板(２０)は、両側の前後縁端にそれぞれ一つの弧曲面上の嵌合溝(２３)を有し、上記嵌合溝(２３)の断面はＣ型形状をなす。層板(２０)は、その両側の前後縁端の嵌合溝(２３)をそれぞれ両サイドの立架組(１０)の内側の縦ロッド(１１)と嵌合し、且つ、上記層板(２０)の両側底部を上記横ロッド(１２)の上に載せて、立架組(１０)に組み付けられる。【選択図】  図３
0003103788.tif 000002
【実用新案登録請求の範囲】
【請求項１】
両サイドに設置される立架組(１０)と上下に設置される層板(２０)とからなり、両サイドに設置される上記立架組(１０)は前後にそれぞれ垂直且つ平行に同じ高さの二つの縦ロッド(１１)を有し、二つの上記縦ロッド(１１)の間に複数の横ロッド(１２)が適当な間隔をあけて固定設置されることにより、二つの上記縦ロッド(１１)の間に挟み口(１３)が形成された収納ラックにおいて、
上記層板(２０)両側の前後縁端にそれぞれ一つの弧曲面上の嵌合溝(２３)を有し、上記嵌合溝(２３)の断面はＣ型形状をなし、上記立架組(１０)と上記層板(２０)を組み立てるとき、上記層板(２０)の両側の前後縁端の上記嵌合溝(２３)はそれぞれ両サイドの上記立架組(１０)の内側の上記縦ロッド(１１)と嵌合し、且つ、上記層板(２０)の両側底部を上記横ロッド(１２)の上に載せる構造としたことを特徴とする収納ラック。
【請求項２】
請求項１に記載の収納ラックにおいて、
上記層板(２０)両側の前後縁端に適当な長さのフレーム部(２１)を有し、
上記フレーム部(２１)の長さは上記層板(２０)の長さに比べて、少し短く、且つ、上記層板(２０)の両側の前後縁端にＣ型部(２２)を有することを特徴とする収納ラック。
【考案の詳細な説明】
【技術分野】
【０００１】
本考案は一種の収納ラックの構造で、特に、一種の組み立て及び分解が便利であり、又、横方向にも延長することができる収納ラックに関する。
【背景技術】
【０００２】
図５は従来の収納ラックの構造を示す。収納ラックは、主に両サイドに設置される立架組３０と上下に設置される複数の層板４０とからなる。立架組３０は前後にそれぞれ垂直方向に同じ高さの２つの縦ロッド３１が設置され、２つの縦ロッド３１の間に複数の横ロッド３２が適当な間隔をあけて固定設置されている構成であり、２つの上記縦ロッド３１の間に１つの挟み口３３が形成してある。層板４０の前後垂直面の両端にそれぞれ嵌合部４１が相対して設置してある。各嵌合部４１は、一端が前後垂直面上に固定され、もう一端が側端より突出し、且つ、弧曲面４２を形成する構造である。組み立てるとき、上記層板４０に設置された上記嵌合部４１の上記弧曲面４２に直接上記立架組３０の内側の上記縦ロッド３１を嵌合させることにより、上記層板４０と上記立架組３０とが結合される。また、層板４０の両側底部が横ロッド３２上に設置される。
【考案の開示】
【考案が解決しようとする課題】
【０００３】
この種の構造は実際使用上、下記の欠点があり、改良が待たれている。
【０００４】
層板４０の嵌合部４１は組み立てが便利に且つ迅速にできるよう設計されたものではあるけれども、嵌合部４１の上記弧曲面４２が上記層板４０の側端より突出してしまう。このため、従来の収納ラックの構造は、差し込み部４１の弧曲面４２が層板４０の側端より突出する構造である為、全体の美観が損なわれるという欠点があり、消費者から敬遠されるという問題を解決しておらず、如何に上記欠点を改良した構造の収納ラックを開発するかが、関係業者では開発目標となっている。
【０００５】
そこで、本考案は、上記の課題を解決した収納ラックを提供することを目的とする。
【課題を解決するための手段】
【０００６】
そこで、上記課題を解決するため、本考案の収納ラックは、主に両サイドに設置される立架組１０と上下に設置される複数の層板２０とからなる。立架組１０は前後にそれぞれ垂直且つ平行に同じ高さの２つの縦ロッド１１を有し、２つの上記縦ロッド１１の間に複数の横ロッド１２が適当な間隔をあけて固定設置されることにより、２つの上記縦ロッド１１の間に挟み口１３を具備する構造である。本考案の主な特徴は、層板２０の両側の前後縁端にそれぞれ１つの弧曲面上の嵌合溝２３を有し、嵌合溝２３の断面はＣ型形状をなし、立架組１０に層板２０を組み立てるとき、層板２０の両側の前後縁端の嵌合溝２３はそれぞれ両サイドの立架組１０の内側の縦ロッド１１と嵌合し、且つ、層板２０の両側底部を横ロッド１２の上に載せる構造である。
【考案の効果】
【０００７】
この構成により、組み立て及び分解が便利になり、全体の美観が損なわれず、又、横方向にも延長することができるという効果を有する。
【考案を実施するための最良の形態】
【０００８】
次に本考案の実施の形態について説明する。
【実施例１】
【０００９】
図１は本考案の実施例１になる収納ラックを示し、図２は層板２０の両側の前後縁端の部分の形状を拡大して示し、図３は層板２０の両側の前後縁端の部分が立架組１０に組み付けられた状態を拡大して示す。
【００１０】
図１に示すように、本考案の実施例１になる収納ラックは、主に両サイドに設置される立架組１０と、上下に設置される層板２０とからなる。両サイドに設置される立架組１０は、前後側にそれぞれ垂直且つ平行に同じ高さの２つの縦ロッド１１を有し、２つの上記縦ロッド１１の間に複数の横ロッド１２が適当な間隔をあけて固定設置されることにより、２つの上記縦ロッド１１の間に挟み口１３が形成してある構造である。
【００１１】
次に本考案の実施例１になる収納ラックの主な特徴について説明する。図１及び図２に示すように、層板２０の両側の前後縁端に、適当な長さのフレーム部２１を有する。フレーム部２１の長さは層板２０の長さに比べて少し短く、且つ上記層板２０の両側の前後縁端にＣ型部２２を有し、このＣ型部２２は外側面にそれぞれ一つの弧曲面状の嵌合溝２３を有し、この嵌合溝２３の断面はＣ型形状をなす。この構造及び形状によって、層板２０のＣ型部２２が層板２０の側端或いは前後垂直面の表面から突出することがなくなり、且つ、縦ロッド１１と嵌合する層板２０のＣ型部２２が層板２０と一体化する形状になり、層板２０の板面がすっきりし、美観のある板面を具備する収納ラックが構築される。
【００１２】
また、層板２０を立架組１０に組み付けるときは、図３に示すように、層板２０の両側の前後縁端のＣ型部２２の嵌合溝２３をそれぞれ両サイドの立架組１０の内側から縦ロッド１１に嵌合させ、且つ、層板２０の両側の底部を横ロッド１２の上に載せる。これにより、層板２０が安定に設置される。
【００１３】
また、立架組１０の２つの縦ロッド１１のうち外側の縦ロッド１１は、横方向に延長するもう一つの層板２０の端と嵌合させることが出来る。よって、図４に示すように、このもう一つの層板２０の他端にもう一つの立架組１０を嵌合することにより、収納ラックを横方向に簡単に延長させることが可能となる。
【００１４】
よって、本考案は、美観のある板面を具備する収納ラックの構造を提供するとともに、上記収納ラックの組み立て及び分解が便利になり、又、横方向にも簡単に延長することが可能である。
【００１５】
また、図１に示す如く、一つの立架組１０上に複数の横ロッド１２が適当な間隔を開けて固定設置してある。これによって、使用者は載せる物の高さに応じて、層板２０を設置する高さを選んで設置することができる。また、層板２０を迅速に設置できる構造によって、収納ラックの使用が便利になり、又、収納ラックは層板２０の高さを自由に且つ簡単に調整することができる構造が実現可能となる。
【図面の簡単な説明】
【００１６】
【図１】本考案の実施例１になる収納ラックの分解斜視図である。
【図２】図１中、層板の一部を拡大して示す図である。
【図３】図１中、層板が立架組に組み付けられた部分を拡大して示す図である。
【図４】横方向に延長した収納ラックを示す図である。
【図５】従来の収納ラックの分解斜視図である。
【符号の説明】
【００１７】
１０  立架組
１１  縦ロッド
１２  横ロッド
１３  挟み口
２０  層板
２１  フレーム部
２２Ｃ  Ｃ型部
２３  嵌合溝
【図１】
0003103788.tif 000003
【図２】
0003103788.tif 000004
【図３】
0003103788.tif 000005
【図４】
0003103788.tif 000006
【図５】
0003103788.tif 000007